(57)【要約】【課題】携帯情報端末に保存されている各種の端末保存情報のバックアップ及び携帯情報端末に保存される端末保存情報の復元の容易化を図る。【解決手段】画像形成装置１において、制御部１１は、通信部１５により受信した携帯電話機２の端末保存情報に基づいて、情報処理部１３にバックアップ用のバックアップ画像データを作成させ、このバックアップ画像データに基づいて、画像形成部１６により記録媒体Ｐに画像形成させてバックアップ用のバックアップ書類Ｂ１を作成させる。制御部１１は、読取部１２によりバックアップ書類Ｂ１に形成された画像が読み取られて変換されたバックアップ画像データに基づいて、情報処理部１３に端末保存データを復元させ、この端末保存データを通信部１５により携帯電話機２に対して送信させる。【選択図】      図２
2005033477.tif 000002
【特許請求の範囲】
【請求項１】
情報処理部と、記録媒体に画像形成を行う画像形成部と、記録媒体に形成された画像を読み取って画像情報に変換する読取部と、携帯情報端末との間で端末保存情報を送受信する通信部と、前記画像処理部、前記画像形成部、前記読取部及び前記通信部を制御する制御部と、を備える画像形成装置であって、
前記制御部は、
前記通信部により受信した前記端末保存情報に基づいて、前記情報処理部にバックアップ用のバックアップ画像情報を作成させるバックアップ画像情報作成処理と、前記情報処理部により作成されたバックアップ画像情報に基づいて、前記画像形成部に前記記録媒体に画像形成させてバックアップ用のバックアップ書類を作成させるバックアップ書類作成処理と、前記読取部により前記バックアップ書類に形成された画像が読み取られて変換されたバックアップ画像情報に基づいて、前記情報処理部に前記端末保存情報を復元させる端末保存情報復元処理と、前記情報処理部により復元された端末保存情報を、前記通信部により前記携帯情報端末に対して送信する端末保存情報送信処理と、を実行させることを特徴とする画像形成装置。
【請求項２】
前記情報処理部は、前記通信部により受信した端末保存情報に対し所定の符号化処理を施してバックアップ画像情報を作成し、
前記画像形成部は、前記情報処理部により作成されたバックアップ画像情報に基づいて、前記記録媒体に符号化された画像を形成して符号化バックアップ書類を作成することを特徴とする請求項１に記載の画像形成装置。
【請求項３】
前記読取部は、前記符号化バックアップ書類に形成された符号化された画像を読み取って符号化バックアップ画像情報に変換し、
前記情報処理部は、前記読取部にて変換された符号化バックアップ画像情報を復号化して前記端末保存情報を作成する処理を行うことを特徴とする請求項２に記載の画像形成装置。
【発明の詳細な説明】
【０００１】
【発明の属する技術分野】
本発明は、画像形成装置に関する。
【０００２】
【従来の技術】
従来、原稿を光学走査することで読み取って画像データに変換し、この画像データに基づいて、原稿とほぼ同等の原稿画像を記録媒体に印刷する、所謂、複写を行うデジタル複写機等の画像形成装置が知られている。
この画像形成装置は、例えば、コンビニエンスストアやスーパーマーケット等の商店等に設置されており、来客や買い物客等によって有効に活用されている。
【０００３】
ところで、近年、携帯電話等の携帯情報端末に保存されている電話帳や電子メールアドレスや画像等に係る各種の端末保存情報を、パソコン等の情報処理装置に備わるハードディスクやメモリーカード等に転送してバックアップすることが行われている（例えば、特許文献１参照。）。
【０００４】
【特許文献１】
特開２００２−１１２３１４号公報
【０００５】
【発明が解決しようとする課題】
しかしながら、上記特許文献１等においては、携帯情報端末に保存されている端末保存情報を情報処理装置にバックアップさせたり、情報処理装置にバックアップさせた端末保存情報を携帯情報端末に保存し直したりする場合には、情報処理装置の存する特定の場所でしか行うことができなかった。
また、メモリーカード等に端末保存情報をバックアップする場合には、端末保存情報を識別するためのラベルの入力等を行わなければならず、その作業が煩雑となっている。
このように、情報処理装置が存する特定の場所以外においては、端末保存情報のバックアップや保存を即座に、且つ、簡便に行うことが困難となっている。
【０００６】
また、携帯情報端末に保存されている各種の端末保存情報を所定のサーバに保存させる方法も提案されているが、この場合には、所定の通信手段を介してネットワークに接続したり、サーバに予め登録しなければならないため、これらの作業が煩雑となるだけでなく、端末保存情報のセキュリティにも配慮する必要があり、端末保存情報のバックアップや保存を簡便に行うことが困難となっている。
【０００７】
そこで、本発明の課題は、画像形成装置を利用して、携帯情報端末に保存されている各種の端末保存情報のバックアップ及び携帯情報端末に保存される端末保存情報の復元の容易化を図ることである。
【０００８】
【課題を解決するための手段】
請求項１に記載の発明は、情報処理部と、記録媒体に画像形成を行う画像形成部と、記録媒体に形成された画像を読み取って画像情報に変換する読取部と、携帯情報端末との間で端末保存情報を送受信する通信部と、前記画像処理部、前記画像形成部、前記読取部及び前記通信部を制御する制御部と、を備える画像形成装置であって、
前記制御部は、
前記通信部により受信した前記端末保存情報に基づいて、前記情報処理部にバックアップ用のバックアップ画像情報を作成させるバックアップ画像情報作成処理と、前記情報処理部により作成されたバックアップ画像情報に基づいて、前記画像形成部に前記記録媒体に画像形成させてバックアップ用のバックアップ書類を作成させるバックアップ書類作成処理と、前記読取部により前記バックアップ書類に形成された画像が読み取られて変換されたバックアップ画像情報に基づいて、前記情報処理部に前記端末保存情報を復元させる端末保存情報復元処理と、前記情報処理部により復元された端末保存情報を、前記通信部により前記携帯情報端末に対して送信する端末保存情報送信処理と、を実行させることを特徴としている。
【０００９】
請求項１に記載の発明によれば、通信部により受信した端末保存情報に基づいて作成されたバックアップ用のバックアップ画像情報に基づいて、記録媒体に画像形成してバックアップ用のバックアップ書類を作成することができる。また、読取部によりバックアップ書類に形成された画像が読み取られて変換されたバックアップ画像情報に基づいて、端末保存情報を復元して、この端末保存情報を携帯情報端末に対して送信することができる。従って、情報処理装置の存する特定の場所以外の場所であっても、複雑なシステム環境を使用することなく、画像形成装置を利用して、携帯情報端末に保存されている各種の端末保存情報のバックアップ及び携帯情報端末に保存される各種の端末保存情報の復元を容易に行うことができる。このとき、所定の通信手段を介してネットワークに接続したり、所定のサーバに予め登録したりする必要がないので、端末保存情報の漏洩等の配慮に係るユーザの負担を軽減して、端末保存情報のバックアップや復元を簡便に行うことができる。
また、端末保存情報に基づいて作成されたバックアップ書類によって、端末保存情報の携帯性を高めることができるだけでなく、バックアップ書類の視認によってユーザが端末保存情報の内容の確認を容易に行うことができる。
【００１０】
請求項２に記載の発明は、請求項１に記載の画像形成装置において、
前記情報処理部は、前記通信部により受信した端末保存情報に対し所定の符号化処理を施してバックアップ画像情報を作成し、
前記画像形成部は、前記情報処理部により作成されたバックアップ画像情報に基づいて、前記記録媒体に符号化された画像を形成して符号化バックアップ書類を作成することを特徴としている。
【００１１】
請求項２に記載の発明によれば、請求項１に記載の発明と同様の効果が得られるのは無論のこと、特に、情報処理部は、通信部により受信した端末保存情報に対し所定の符号化処理を施してバックアップ画像情報を作成し、画像形成部は、情報処理部により作成されたバックアップ画像情報に基づいて、記録媒体に符号化された画像を形成して符号化バックアップ書類を作成する。即ち、端末保存情報を符号化して記録媒体に保存しておくことによって、端末保存情報の漏洩等をより確実に防止することができ、守秘性を向上させることができる。
【００１２】
請求項３に記載の発明は、請求項２に記載の画像形成装置において、
前記読取部は、前記符号化バックアップ書類に形成された符号化された画像を読み取って符号化バックアップ画像情報に変換し、
前記情報処理部は、前記読取部にて変換された符号化バックアップ画像情報を復号化して前記端末保存情報を作成する処理を行うことを特徴としている。
【００１３】
請求項３に記載の発明によれば、請求項２に記載の発明と同様の効果が得られるのは無論のこと、特に、読取部は、符号化バックアップ書類に形成された符号化された画像を読み取って符号化バックアップ画像情報に変換し、情報処理部は、符号化バックアップ画像情報を復号化して端末保存情報を作成する処理を行うので、端末保存情報が符号化されて記録媒体に保存された符号化バックアップ書類を用いて、携帯情報端末に保存される各種の端末保存情報の復元を行うことができる。
また、端末保存情報を符号化バックアップ書類を用いて作成するので、この符号化バックアップ書類上の符号化された画像に応じた端末保存情報を簡便に且つ正確に作成することができる。従って、誤った内容の端末保存情報が作成されることを防止することができ、例えばバックアップ書類上のテキストを文字認識して端末保存情報を作成する場合に比べて、作成される端末保存情報の内容の信頼性を向上させることができる。
【００１４】
【発明の実施の形態】
以下に、本発明について、図面を用いて具体的な態様を説明する。ただし、発明の範囲は、図示例に限定されない。
【００１５】
［第一の実施の形態］
図１は、本発明を適用した第一の実施の形態として例示する画像形成装置を備える画像形成システムの概略構成図である。
図１に示すように、画像形成システム１００は、画像形成装置１と、携帯電話機（携帯情報端末）２とを備え、これら画像形成装置１及び携帯電話機２は、端末保存データ（後述）の双方向の通信に用いられるデータ通信ケーブル３を介して接続されている。
【００１６】
先ず、画像形成装置１の要部構成について、図２を参照して詳細に説明する。ここで、図２は、画像形成装置１の要部構成を示すブロック図である。
画像形成装置１は、例えば、複写機、プリンタ、ファクシミリ及びこれらの諸機能を有するデジタル複合機であり、図２に示すように、制御部１１と、読取部１２と、情報処理部１３と、記憶部１４と、通信部１５と、画像形成部１６と、操作部１７とを備え、これら各部はバスＸにより接続されている。
【００１７】
制御部１１は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等から構成されており、ＲＯＭに記憶されている画像形成装置１としての機能に関る各種プログラムを読み出してＲＡＭ内の作業領域に展開し、当該プログラムに従って画像形成処理等の各種処理を実行する。
具体的には、当該画像形成装置１がデータ通信ケーブル３を介して携帯電話機２に接続された状態で、制御部１１は、ＲＯＭから読み出された所定のプログラムに従って、端末保存データのバックアップ処理及びデータ復元処理を実行する。
即ち、バックアップ処理において、制御部１１は、先ず、ＲＯＭから読み出されたバックアップ画像情報作成プログラム（図示略）に従って、通信部１５により受信した端末保存データ（後述）に基づいて、情報処理部１３にバックアップ用のバックアップ画像データを作成させるバックアップ画像情報作成処理を実行する。次に、制御部１１は、ＲＯＭから読み出されたバックアップ書類作成プログラム（図示略）に従って、情報処理部１３により作成されたバックアップ画像データに基づいて、画像形成部１６により記録媒体Ｐ（図１参照）に画像形成させてバックアップ用のバックアップ書類Ｂ１（図４参照）を作成させるバックアップ書類作成処理を実行する。
また、データ復元処理において、制御部１１は、ＲＯＭから読み出された端末保存情報復元プログラム（図示略）に従って、読取部１２によりバックアップ書類Ｂ１に形成された画像が読み取られて変換されたバックアップ画像データに基づいて、情報処理部１３に端末保存データを復元させる端末保存情報復元処理を実行する。次に、制御部１１は、ＲＯＭから読み出された端末保存情報送信プログラム（図示略）に従って、情報処理部１３により復元された端末保存データを、通信部１５により携帯電話機２に対して送信する端末保存情報送信処理を実行する。
【００１８】
読取部１２は、例えば、光源、レンズ、ＣＣＤ（Ｃｈａｒｇｅ  Ｃｏｕｐｌｅｄ  Ｄｅｖｉｃｅ）、Ａ／Ｄ変換部等により構成されている。また、読取部１２は、制御部１１の制御下にて、バックアップ書類Ｂ１に対して光源から照明走査し、この反射光をＣＣＤにより読み取って電気信号（アナログ信号）に変換し、この電気信号をＡ／Ｄ変換部によりバックアップ書類データ（デジタル信号）に変換する。
【００１９】
情報処理部１３は、制御部１１の制御下におけるバックアップ画像情報作成処理にて、通信部１５により受信した端末保存データを、画像形成部１６により画像形成可能な所定のデータ形式に変換してバックアップ用のバックアップ画像データを作成する。
また、情報処理部１３は、制御部１１の制御下における端末保存情報復元処理において、読取部１２によりバックアップ書類Ｂ１に形成された画像が読み取られて変換されたバックアップ画像データを携帯電話機２の情報保存部２４に保存可能な所定のデータ形式に変換して端末保存データを復元する。ここで、情報処理部１３は、所定の文字認識機能を有しており、バックアップ書類データに基づいて、バックアップ書類Ｂ１を構成するテキストを文字認識により解析して、テキストデータに変換可能となっている。
【００２０】
記憶部１４は、当該画像形成装置１の所定の動作に基づいて作成される各種データ並びに端末保存データ等を一時的に格納するものである。
端末保存データとは、具体的には、例えば、人名、電話番号、メールアドレス、着信音等からなる電話帳データや、待ち受け画像、撮像画像等に係る画像データや、日付、件名、メールアドレス、メールの内容等からなる電子メール等に係るメールデータなどの携帯電話機２の情報保存部２４に保存される各種の情報（図４参照）のことである。
【００２１】
通信部１５は、データ通信ケーブル３に接続可能とされ、このデータ通信ケーブル３を介して、制御部１１の制御下にて携帯電話機２との間で端末保存データの送受信を行うためのインターフェイスを備えて構成されている。即ち、通信部１５は、データ通信ケーブル３を介して接続された当該画像形成装置１と携帯電話機２との間で、情報保存部２４に予め保存され読み出された端末保存データを受信する一方で、情報処理部１３により復元された端末保存データを携帯電話機２に対して送信する。
【００２２】
画像形成部１６は、例えば、レーザ式、インクジェット式、ドットインパクト式、熱転写式等により、記録媒体Ｐ上に所定の画像を形成して出力する。即ち、画像形成部１６は、情報処理部１３により作成された端末保存データに基づいて、記録媒体供給部（図示略）より供給される所定の記録媒体Ｐに対して画像形成を行うことで、端末保存データのバックアップ用のバックアップ書類Ｂ１を作成する。
【００２３】
操作部１７は、例えば、数字入力キー、各種機能キーなどを有するキーパッドを備え、キーパッドの所定位置がユーザに押下されることに基づいて押下信号を制御部に出力する。
また、操作部１７は、例えば、表示部（図示略）と一体的にタッチパネルとして構成されていてもよく、表示部は、制御部１１から入力される表示信号の指示に従って、画面上に各種操作キーや画像の状態表示を行うようになっている。
【００２４】
次に、携帯電話機２の要部構成について、図３を参照して詳細に説明する。ここで、図３は、携帯電話機２の要部構成を示すブロック図である。
図３に示すように、携帯電話機２は、制御部２１と、表示部２２と、操作部２３と、情報保存部２４と、記憶部２５と、通信部２６と、無線通信部２７と、通話部２８とを備え、これら各部はバスＹにより接続されている。
【００２５】
制御部２１は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等から構成されており、ＲＯＭに記憶されている携帯電話機２としての各種機能に関る各種アプリケーションプログラムを読み出してＲＡＭ内の作業領域に展開し、当該プログラムに従って各種処理を実行する。
具体的には、制御部２１は、バックアップ処理及びデータ復元処理において、画像形成装置１の制御部１１の制御下にて情報保存部２４を制御することで、当該情報保存部２４から端末保存データを読み出したり、情報保存部２４に端末保存データを保存したりする処理を制御する。
【００２６】
表示部２２は、例えばＬＣＤ（Ｌｉｑｕｉｄ  Ｃｒｙｓｔａｌ  Ｄｉｓｐｌａｙ）パネル等の表示画面を備えて構成され、制御部２１から入力される表示データに基づいて画面表示を行う。
操作部２３は、例えば、テンキー、各種機能スイッチ等の操作ボタンを備えており、人名、電話番号、メールアドレス、メールの件名、メールの内容等の入力に用いられる。
情報保存部２４は、端末保存データの保存領域を有している。また、情報保存部２４は、例えば、当該携帯電話機２の各種の動作に係る設定等を保存可能となっている。
記憶部２５は、当該携帯電話機２の所定の動作に基づいて作成される各種データ並びに端末保存データ等を一時的に格納するものである。
【００２７】
通信部２６は、データ通信ケーブル３に接続可能とされ、このデータ通信ケーブル３を介して、バックアップ処理やデータ復元処理において、画像形成装置１と通信を行うためのインターフェイスを備えている。
【００２８】
無線通信部２７は、無線基地局（図示略）との間で着信や発信等に係る無線信号の送受信を行うものであり、制御部２１から入力される指示に従って、無線基地局との間で、例えば、所定の通信プロトコルを実行し、この通信方式で設定される通信チャネルにより、例えば、送受話音声の送受信や電子メール等のデータ通信を実行する。
【００２９】
通話部２８は、例えば、マイク、スピーカ、Ａ／Ｄ変換部、及びＤ／Ａ変換部（何れも図示省略）を有し、マイクから入力されるユーザの送話音声をＡ／Ｄ変換処理して、その送話音声データを制御部に出力するとともに、制御部２１から入力される受話音声データや、着信音、操作確認音等の音声データをＤ／Ａ変換処理して、スピーカから出力する。
【００３０】
次に、制御部１１の制御下にて実行されるバックアップ処理及びデータ復元処理について図４を参照して説明する。
ここで、図４は、画像形成装置１により作成されたバックアップ書類Ｂ１を模式的に示した図である。
【００３１】
＜バックアップ処理＞
以下に、バックアップ処理について説明する。
先ず、ユーザにより画像形成装置１と携帯電話機２とがデータ通信ケーブル３を介して接続されて、画像形成装置１の通信部１５と携帯電話機２の通信部２６とをデータ通信可能な状態とする。
【００３２】
次に、ユーザによる画像形成装置１の操作部１７の操作に基づいてバックアップ処理の実行が指示されると、制御部１１は、端末保存データの情報保存部２４からの読み出しを制御する所定の制御信号を通信部１５を介して携帯電話機２の制御部２１に対して出力し、この制御信号が入力されることにより携帯電話機２の制御部２１が、情報保存部２４に予め保存されている端末保存データを当該情報保存部２４から読み出させ、続けて、読み出された端末保存データを通信部２６により画像形成装置１に対して送信させる。
ここで、端末保存データは、情報保存部２４に保存されている各種のデータが全て読み出されてもよいし、端末保存データのうち、読み出されるデータがユーザにより任意に指定可能となっていてもよい。
【００３３】
次に、画像形成装置１の制御部１１は、通信部１５を制御して、携帯電話機２から送信される端末保存データを順次受信していき、受信した端末保存データを記憶部１４に一旦格納させる。
【００３４】
次に、制御部１１は、バックアップ画像情報作成処理を実行する。具体的には、制御部１１は、情報処理部１３を制御して、記憶部１４に格納された端末保存データを画像形成部１６により画像形成可能な所定の形式に変換してバックアップ画像データを作成させる。
その後、制御部１１は、バックアップ書類作成処理を実行する。具体的には、制御部１１は、画像形成部１６を制御して、情報処理部１３により変換されたバックアップ画像データに基づいて、所定の記録媒体Ｐに対して画像形成を行って端末保存データのバックアップ用のバックアップ書類Ｂ１を作成させる。
これにより、例えば、図４に示すように、記録媒体Ｐの上端から下端にかけて、［電話番号］、［画像データ］、［メールデータ］の各々の項目が順に形成されたバックアップ書類Ｂ１を作成する。
このバックアップ書類Ｂ１は、具体的には、［電話番号］の項目には、例えば、人名、電話番号、メールアドレス、着信音等が画像形成されている。また、［画像データ］の項目には、例えば、画像の各画素の階調値がｎ進法で表現されたビットマップデータが画像形成されている。さらに、［メールデータ］の項目には、例えば、日付、件名、メールアドレス、内容等が画像形成されている。
【００３５】
＜データ復元処理＞
次に、データ復元処理について説明する。
先ず、ユーザによって、バックアップ書類Ｂ１が読取部１２の所定位置にセットされた状態で、操作部１７の所定の操作に基づいてデータ復元処理の実行が指示されると、制御部１１は、読取部１２を制御して、バックアップ書類Ｂ１に形成された画像を読み取ってバックアップ書類データに変換させる。
【００３６】
次に、制御部１１は、端末保存情報復元処理を実行する。具体的には、制御部１１は、情報処理部１３を制御して、読取部１２により変換されたバックアップ書類データを携帯電話機１に応じた所定のデータ保存形式に変換して端末保存データを作成させる。このとき、情報処理部１３は、バックアップ書類データに対して文字認識処理を施してバックアップ書類Ｂ１を構成するテキストを解析する。即ち、先ず、情報処理部１３は、バックアップ書類Ｂ１の［］を検出して、その［］内の電話番号を認識してテキストデータに変換する。続けて、情報処理部１３は、バックアップ書類Ｂ１の［電話番号］以下に形成されている情報（人名、電話番号、メールアドレス、着信音等）を認識してテキストデータに変換する。次に、情報処理部１３は、変換されたテキストデータを携帯電話機２に応じて所定のデータ保存形式に変換する。
そして、情報処理部１３は、上記の処理をバックアップ書類Ｂ１の全面に対して（即ち、続けて［画像データ］、［メールデータ］の各々の項目を順に）施して、携帯電話機２のデータ保存形式に変換された端末保存データを作成する。
なお、作成された端末保存データは、記憶部１４に一旦格納される。
【００３７】
次に、制御部１１は、端末保存情報送信処理を実行する。具体的には、制御部１１は、記憶部１４に格納された端末保存データを読み出し、読み出された端末保存データを通信部１５によって携帯電話機２に対して送信させる。画像形成装置１から送信され通信部２６にて受信された端末保存データは、携帯電話機２の制御部２１の制御下にて情報保存部２４に保存される。
【００３８】
以上のように、第一の実施の形態の画像形成システム１００によれば、携帯電話機２の情報保存部２４に予め保存された端末保存データを通信部１５を介して読み出させ、当該通信部１５にて受信された端末保存データに基づいて、画像形成部１６に記録媒体Ｐに対して画像形成させて端末保存データのバックアップ用のバックアップ書類Ｂ１を作成することができる。また、読取部によりバックアップ書類Ｂ１に形成された画像が読み取られることで変換されたバックアップ画像データに基づいて、端末保存データを復元して、この端末保存データを、携帯電話機２に対して送信して情報保存部２４に保存させることができる。従って、例えばパソコン等の情報処理装置の存する特定の場所以外の場所であっても、複雑なシステム環境を使用することなく、画像形成装置１を利用して、携帯電話機２に保存されている各種の端末保存データのバックアップ及び携帯電話機２に保存される各種の端末保存データの復元を容易に行うことができる。このとき、所定の通信手段を介してネットワークに接続したり、所定のサーバに予め登録したりする必要がないので、端末保存データの漏洩等の配慮に係るユーザの負担を軽減して、端末保存データのバックアップや復元を簡便に行うことができる。
また、端末保存データに基づいて作成されたバックアップ書類Ｂ１によって、端末保存データの携帯性を高めることができるだけでなく、バックアップ書類Ｂ１の視認によってユーザが端末保存データの内容の確認を容易に行うことができる。
【００３９】
さらに、情報処理部１３は、所定の保存形式で携帯電話機２に保存された端末保存データを、画像形成部１６により画像形成可能な形式に変換してバックアップ画像データを作成することができるので、携帯電話機２における端末保存データの保存形式にとらわれることなく、画像形成装置１により端末保存データのバックアップを行うことができる。
【００４０】
［第二の実施の形態］
以下に、本発明を適用した第二の実施の形態の画像形成システムについて説明する。
本実施の形態の画像形成システムに備わる画像形成装置１は、バックアップ処理において、端末保存データに二次元バーコード化処理（所定の符号化処理）を施して、符号化バックアップ書類Ｂ２（図５参照）を作成する一方で、データ復元処理において、符号化バックアップ書類Ｂ２から変換された符号化バックアップ画像データを復号化して端末保存データを作成するようになっている。
【００４１】
情報処理部１３は、バックアップ処理において、制御部１１の制御下にて所定のプログラムが実行されることに基づいて、通信部１５により受信された後で記憶部１４に一旦格納された端末保存データを読み出して、この端末保存データに対して二次元バーコード化処理を施してバックアップ画像データを作成可能となっている。
また、情報処理部１３は、データ復元処理において、制御部１１の制御下にて所定のプログラムが実行されることに基づいて、読取部１２により符号化バックアップ書類Ｂ２に形成された符号化された画像が読み取られることで変換された符号化バックアップ書類データを復号化して端末保存データを作成可能となっている。
【００４２】
画像形成部１６は、制御部１１の制御下にて、情報処理部１３により作成された端末保存データに基づいて、記録媒体Ｐに二次元バーコード化された画像を形成して符号化バックアップ書類Ｂ２を作成する。
【００４３】
従って、上記構成の第二の実施の形態の画像形成システムによれば、端末保存データに対し二次元バーコード化処理を施してバックアップ画像データを作成し、このバックアップ画像データに基づいて、記録媒体Ｐに符号化された画像を形成して符号化バックアップ書類Ｂ２を作成することができるので、端末保存データを符号化して記録媒体Ｐに保存しておくことによって、端末保存データの漏洩等をより確実に防止することができ、守秘性を向上させることができる。
さらに、符号化バックアップ書類Ｂ２に形成された符号化された画像を読み取って符号化バックアップ画像データに変換し、この符号化バックアップ画像データを復号化して端末保存データを作成する処理を行うので、端末保存データが符号化されて記録媒体Ｐに保存された符号化バックアップ書類Ｂ２を用いて、携帯電話機２に保存される各種の端末保存データの復元を行うことができる。
また、端末保存データを符号化バックアップ書類Ｂ２を用いて作成するので、この符号化バックアップ書類Ｂ２上の符号化された画像に応じた端末保存データを簡便に且つ正確に作成することができる。従って、誤った内容の端末保存データが作成されることを防止することができ、例えば第一の実施の形態等のようにバックアップ書類Ｂ１上のテキストを文字認識して端末保存データを作成する場合に比べて、作成される端末保存データの内容の信頼性を向上させることができる。
【００４４】
なお、第二の実施の形態では、符号化処理として二次元バーコード処理を例示したが、これに限られるものではなく、如何なる符号化処理であってもよい。
【００４５】
なお、本発明は、上記実施の形態に限定されることなく、本発明の趣旨を逸脱しない範囲において、種々の改良並びに設計の変更を行ってもよい。
例えば、読取部１２の読取方式をフリーフォーマットとすることによって、手書き等により作成されたバックアップ書類Ｂ１の読み取りも実行可能となり、データ復元処理をより簡便に行うことができる。
また、上記実施の形態では、携帯情報端末として携帯電話機２を例示したが、これに限られるものではなく、例えば、ＰＤＡ（Ｐｅｒｓｏｎａｌ  Ｄｉｇｉｔａｌ  Ａｓｓｉｓｔａｎｔ）等の如何なる携帯情報端末であってもよいのは勿論である。
さらに、上記実施の形態では、画像形成装置１と携帯電話機２とをデータ通信ケーブル３で接続して端末保存データの通信を行う構成としたが、データ通信の形式はこれに限られるものではなく、例えば、無線接続してデータ通信する構成等であってもよい。
【００４６】
【発明の効果】
請求項１に記載の発明によれば、情報処理装置の存する特定の場所以外の場所であっても、複雑なシステム環境を使用することなく、画像形成装置を利用して、携帯情報端末に保存されている各種の端末保存情報のバックアップ及び携帯情報端末に保存される各種の端末保存情報の復元を容易に行うことができる。このとき、所定の通信手段を介してネットワークに接続したり、所定のサーバに予め登録したりする必要がないので、端末保存情報の漏洩等の配慮に係るユーザの負担を軽減して、端末保存情報のバックアップや復元を簡便に行うことができる。また、端末保存情報に基づいて作成されたバックアップ書類によって、端末保存情報の携帯性を高めることができるだけでなく、バックアップ書類の視認によってユーザが端末保存情報の内容の確認を容易に行うことができる。
【００４７】
請求項２に記載の発明によれば、端末保存情報を符号化して記録媒体に保存しておくことによって、端末保存情報の漏洩等をより確実に防止することができ、守秘性を向上させることができる。
【００４８】
請求項３に記載の発明によれば、端末保存情報が符号化されて記録媒体に保存された符号化バックアップ書類を用いて、携帯情報端末に保存される各種の端末保存情報の復元を行うことができる。また、端末保存情報を符号化バックアップ書類を用いて作成するので、この符号化バックアップ書類上の符号化された画像に応じた端末保存情報を簡便に且つ正確に作成することができる。従って、誤った内容の端末保存情報が作成されることを防止することができ、例えばバックアップ書類上のテキストを文字認識して端末保存情報を作成する場合に比べて、作成される端末保存情報の内容の信頼性を向上させることができる。
【図面の簡単な説明】
【図１】本発明を適用した第一の実施の形態として例示する画像形成装置を備える画像形成システムの概略構成図である。
【図２】図１の画像形成装置の要部構成を示すブロック図である。
【図３】図１の画像形成システムを構成する携帯電話機の要部構成を示すブロック図である。
【図４】図２の画像形成装置により作成されたバックアップ書類を模式的に示した図である。
【図５】本発明を適用した第二の実施の形態として例示する画像形成装置により作成された符号化バックアップ書類を模式的に示した図である。
【符号の説明】
１００      画像形成システム
１          画像形成装置
１１        制御部
１２        読取部
１３        情報処理部
１５        通信部
１６        画像形成部
２          携帯電話機（携帯情報端末）
Ｂ１        バックアップ書類
Ｂ２        符号化バックアップ書類
Ｐ          記録媒体
【図１】
2005033477.tif 000003
【図２】
2005033477.tif 000004
【図３】
2005033477.tif 000005
【図４】
2005033477.tif 000006
【図５】
2005033477.tif 000007